(57)【特許請求の範囲】
【請求項１】
少なくとも2つの制御チャネルが構成された通信システムに適用される、制御チャネルを選択するための方法であって、前記方法が、
ユーザ機器UEによって第1の制御チャネルをリスンし、前記第1の制御チャネルを使用して受信した信号の性能パラメータの値を測定するステップであって、前記性能パラメータは、信号対雑音比、受信レベル、信号対干渉雑音比、または信号強度のうちの1つまたは複数を含み、前記第1の制御チャネルは前記少なくとも2つの制御チャネルのうちの1つである、ステップと、
前記UEによって、前記性能パラメータの前記値に応じて、前記第1の制御チャネルが滞留条件を満たすと判定した場合、前記UEによって、前記第1の制御チャネルをターゲット制御チャネルとして決定するステップであって、前記ターゲット制御チャネルを使用して基地局によって送信されたダウンリンク制御情報を受信する、ステップと
を含み、
前記滞留条件は、各制御チャネル毎に設定される、方法。
【請求項２】
前記第1の制御チャネルが滞留条件を満たすことが、前記性能パラメータの前記値が前記第1の制御チャネルの復調閾値と滞留閾値との和以上であり、前記滞留閾値はゼロ以上であることを含む、請求項1に記載の方法。
【請求項３】
前記第1の制御チャネルが滞留条件を満たすことが、前記第1の制御チャネルを使用して受信した前記信号が正常に復号されることをさらに含む、請求項2に記載の方法。
【請求項４】
ユーザ機器UEによって第1の制御チャネルをリスンし、前記第1の制御チャネルを使用して受信した信号の性能パラメータの値を測定する前記ステップの前に、前記方法が、
前記UEによって、同期チャネルおよび／またはブロードキャストチャネルを使用して受信した信号に応じて前記UEの受信性能パラメータの値を決定するステップであって、前記受信性能パラメータは、信号対雑音比、受信レベル、信号対干渉雑音比、または信号強度のうちの1つまたは複数を含む、ステップと、
前記UEによって、前記少なくとも2つの制御チャネルから予備選択条件を満たす制御チャネルを前記第1の制御チャネルとして決定するステップであって、前記予備選択条件を満たす前記制御チャネルは、受信性能パラメータがK以上の値を有する制御チャネルを含み、Kは前記制御チャネルの復調閾値と予備選択閾値との和であり、前記予備選択閾値はゼロ以上である、ステップと
をさらに含む、請求項1から3のいずれか一項に記載の方法。
【請求項５】
M個の制御チャネルが、前記UEが位置するセル内に構成され、M≧2であり、Mは整数であり、前記M個の制御チャネルを復調閾値で昇順にソートしたシーケンスにおいて、i番目の制御チャネルの復調閾値はi番目の復調閾値であり、1≦i≦Mであり、iは整数であり、前記受信性能パラメータの前記値はkであり、前記i番目の復調閾値と前記予備選択閾値との和はKiであり、
k≧Kiかつi＝Mであるとき、前記予備選択条件を満たす前記制御チャネルは、前記M個の制御チャネルにおいて最大の復調閾値を有する制御チャネルであるか、または、
Ki≦k＜Ki＋1かつ1≦i≦M−1であるとき、前記予備選択条件を満たす前記制御チャネル
は、前記M個の制御チャネルの前記i番目の復調閾値を有する制御チャネルである、
請求項4に記載の方法。
【請求項６】
前記予備選択条件を満たす制御チャネルの数が1より大きい場合、前記UEによって、前記少なくとも2つの制御チャネルから予備選択条件を満たす制御チャネルを前記第1の制御チャネルとして決定する前記ステップが、
前記UEによって、前記予備選択条件を満たすすべての前記制御チャネルから1つの制御チャネルを前記第1の制御チャネルとしてランダムに選択するステップ、
前記UEによって、前記UEの識別子に応じて、前記予備選択条件を満たすすべての前記制御チャネルから前記第1の制御チャネルを決定するステップ、
前記UEによって、前記基地局によって送信された通知メッセージを受信し、前記UEによって、前記通知メッセージに応じて前記第1の制御チャネルを決定するステップであって、前記通知メッセージは、前記予備選択条件を満たすすべての前記制御チャネルの負荷状態に応じて前記基地局によって決定される、最も負荷の低い制御チャネルに関する情報を伝える、ステップ、または、
前記UEによって、前記予備選択条件を満たすすべての前記制御チャネルの負荷状態に応じて前記第1の制御チャネルを決定するステップ
を含む、請求項4または5に記載の方法。
【請求項７】
前記ターゲット制御チャネルが前記i番目の制御チャネルであり、前記UEによって、前記ターゲット制御チャネルを決定する前記ステップの後に、前記方法が、
i＝Mのとき、k＜Ki’であれば、前記UEによって、他のM−1個の制御チャネルから新たなターゲット制御チャネルを決定するステップであって、Ki’≦Kiである、ステップ、
1＜i≦M−1のとき、k＜Ki’またはk≧Ki＋1’であれば、前記UEによって、他のM−1個の制御チャネルから新たなターゲット制御チャネルを決定するステップであって、Ki’≦KiかつKi＋1’≧Ki＋1である、ステップ、または、
i＝1のとき、k≧Ki＋1’であれば、前記UEによって、他のM−1個の制御チャネルから新たなターゲット制御チャネルを決定するステップであって、Ki＋1’≧Ki＋1である、ステップ
をさらに含む、請求項5に記載の方法。
【請求項８】
前記第1の制御チャネルが、前記UEが位置する前記セルの制御チャネルであり、前記UEによって、前記性能パラメータの値に応じて、前記第1の制御チャネルが前記滞留条件を満たさないと判定した場合、前記方法が、
前記UEが位置する前記セルの他の制御チャネルに前記滞留条件を満たす制御チャネルが存在する場合、前記UEによって、前記他の制御チャネルの前記滞留条件を満たす制御チャネルを前記ターゲット制御チャネルとして決定するステップ、または、
前記UEが位置する前記セルの他の制御チャネルに前記滞留条件を満たす制御チャネルが存在しない場合、前記UEによって、セル再選択機構またはセル選択機構を起動するステップ
をさらに含む、請求項5または7に記載の方法。
【請求項９】
前記UEによって、前記ターゲット制御チャネルを決定する前記ステップの後で、前記方法が、
前記UEによって、前記ターゲット制御チャネルに対応するランダムアクセスリソースを決定し、前記UEによって、前記ランダムアクセスリソースに応じて前記基地局にランダムアクセスメッセージを送信するステップであって、前記ランダムアクセスメッセージを使用して前記ランダムアクセスリソースに応じて前記UEの前記ターゲット制御チャネルを決定するように前記基地局に指示する、ステップ、または、
前記UEによって、ランダムアクセスメッセージを前記基地局に送信するステップであって、前記ランダムアクセスメッセージは、前記ターゲット制御チャネルのチャネル情報を含み、前記ランダムアクセスメッセージを使用して前記UEの前記ターゲット制御チャネルを前記基地局に通知する、ステップ
をさらに含む、請求項1から8のいずれか一項に記載の方法。
【請求項１０】
前記UEによって、ランダムアクセスメッセージを前記基地局に送信する前記ステップ前に、前記方法が、
前記UEによって、前記ターゲット制御チャネルに対応するランダムアクセスチャネルの変調および符号化方式に従って初期送信電力を取得するステップと、
前記初期送信電力が前記UEの最大送信電力よりも大きい場合、前記UEによって、前記ターゲット制御チャネルに対応するランダムアクセスチャネルおよび／またはターゲット制御チャネルを再決定し、再取得された初期送信電力が前記UEの前記最大送信電力以下であるようにするステップと
をさらに含み、
前記UEによって、ランダムアクセスメッセージを前記基地局に送信する前記ステップは、
前記UEによって、前記再取得された初期送信電力を使用して前記ランダムアクセスメッセージを前記基地局に送信するステップ
を含む、請求項9に記載の方法。
【請求項１１】
少なくとも2つの制御チャネルが構成された通信システムに適用されるユーザ機器UEであって、前記UEが、
第1の制御チャネルをリスンし、前記第1の制御チャネルを使用して受信した信号の性能パラメータの値を測定するように構成されたリスニングおよび測定ユニットであって、前記性能パラメータは、信号対雑音比、受信レベル、信号対干渉雑音比、または信号強度のうちの1つまたは複数を含み、前記第1の制御チャネルは前記少なくとも2つの制御チャネルのうちの1つである、リスニングおよび測定ユニットと、
前記性能パラメータの前記値に応じて、前記第1の制御チャネルが滞留条件を満たすと判定した場合、前記第1の制御チャネルをターゲット制御チャネルとして決定するように構成された決定ユニットであって、前記ターゲット制御チャネルを使用して、基地局によって送信されるダウンリンク制御情報を受信する、決定ユニットと
を備え、
前記滞留条件は、各制御チャネル毎に設定される、UE。
【請求項１２】
前記第1の制御チャネルが滞留条件を満たすことが、前記性能パラメータの前記値が前記第1の制御チャネルの復調閾値と滞留閾値との和以上であり、前記滞留閾値はゼロ以上であることを含む、請求項11に記載のUE。
【請求項１３】
前記第1の制御チャネルが滞留条件を満たすことが、前記第1の制御チャネルを使用して受信した前記信号が正常に復号されることをさらに含む、請求項12に記載のUE。
【請求項１４】
同期チャネルおよび／またはブロードキャストチャネルを使用して受信した信号に応じて前記UEの受信性能パラメータの値を決定し、前記受信性能パラメータは、信号対雑音比、受信レベル、信号対干渉雑音比、または信号強度のうちの1つまたは複数を含み、
前記少なくとも2つの制御チャネルから予備選択条件を満たす制御チャネルを前記第1の制御チャネルとして決定し、前記予備選択条件を満たす前記制御チャネルは、受信性能パラメータがK以上の値を有する制御チャネルを含み、Kは前記制御チャネルの復調閾値と予備選択閾値との和であり、前記予備選択閾値はゼロ以上である
ように構成された予備選択ユニットをさらに含む、請求項11から13のいずれか一項に記載のUE。
【請求項１５】
M個の制御チャネルが、前記UEが位置するセル内に構成され、M≧2であり、Mは整数であり、前記M個の制御チャネルを復調閾値で昇順にソートしたシーケンスにおいて、i番目の制御チャネルの復調閾値はi番目の復調閾値であり、1≦i≦Mであり、iは整数であり、前記受信性能パラメータの前記値はkであり、前記i番目の復調閾値と前記予備選択閾値との和はKiであり、
k≧Kiかつi＝Mであるとき、前記予備選択条件を満たす前記制御チャネルは、前記M個の
制御チャネルにおいて最大の復調閾値を有する制御チャネルであり、
Ki≦k＜Ki＋1かつ1≦i≦M−1であるとき、前記予備選択条件を満たす前記制御チャネルは、前記M個の制御チャネルの前記i番目の復調閾値を有する制御チャネルである、
請求項14に記載のUE。
【請求項１６】
前記予備選択条件を満たす制御チャネルの数が1より大きい場合、前記予備選択ユニットが、
前記予備選択条件を満たすすべての前記制御チャネルから1つの制御チャネルを前記第1の制御チャネルとしてランダムに選択するか、
前記UEの識別子に応じて、前記予備選択条件を満たすすべての前記制御チャネルから前記第1の制御チャネルを決定するか、
前記基地局によって送信された受信通知メッセージに応じて前記第1の制御チャネルを決定し、前記通知メッセージは、前記予備選択条件を満たすすべての制御チャネルの負荷状態に応じて前記基地局によって決定される、最も負荷の低い前記制御チャネルに関する情報を伝えるか、または、
前記予備選択条件を満たすすべての前記制御チャネルの負荷状態に応じて前記第1の制御チャネルを決定する
ように特に構成される、請求項14または15に記載のUE。
【請求項１７】
前記ターゲット制御チャネルが、i番目の制御チャネルであり、前記決定ユニットが、
i＝Mのとき、k＜Ki’であれば、他のM−1個の制御チャネルから新たなターゲット制御チャネルを決定し、ここでKi’≦Kiであるか、
1＜i≦M−1のとき、k＜Ki’またはk≧Ki＋1’であれば、他のM−1個の制御チャネルから新たなターゲット制御チャネルを決定し、ここでKi’≦KiかつKi＋1’≧Ki＋1であるか、または、
i＝1のとき、k≧Ki＋1’であれば、他のM−1個の制御チャネルから新たなターゲット制御チャネルを決定し、ここでKi＋1’≧Ki＋1である
ようにさらに構成される、請求項15に記載のUE。
【請求項１８】
前記第1の制御チャネルが、前記UEが位置する前記セルの制御チャネルであり、
前記決定ユニットが、前記性能パラメータの前記値に応じて、前記第1の制御チャネルが前記滞留条件を満たさないと判定すると、前記UEが位置する前記セルの他の制御チャネルに前記滞留条件を満たす制御チャネルが存在すれば、前記他の制御チャネルの前記滞留条件を満たす制御チャネルを前記ターゲット制御チャネルとして決定するようにさらに構成されるか、または、
前記UEが、前記性能パラメータの前記値に応じて、前記第1の制御チャネルが前記滞留条件を満たさないと判定すると、前記UEが位置する前記セルの他の制御チャネルに前記滞留条件を満たす制御チャネルが存在しなければ、セル再選択機構またはセル選択機構を起動するように構成された起動ユニットをさらに含む、
請求項15または17に記載のUE。
【請求項１９】
前記UEが送信ユニットをさらに備え、
前記決定ユニットが、前記ターゲット制御チャネルに対応するランダムアクセスリソースを決定するようにさらに構成され、前記送信ユニットは、前記ランダムアクセスリソースに応じて前記基地局にランダムアクセスメッセージを送信するように構成され、前記ランダムアクセスメッセージを使用して前記ランダムアクセスリソースに応じて前記UEの前記ターゲット制御チャネルを決定するように前記基地局に指示するか、または、
前記送信ユニットが、ランダムアクセスメッセージを前記基地局に送信するように構成され、前記ランダムアクセスメッセージは、前記ターゲット制御チャネルのチャネル情報を含み、前記ランダムアクセスメッセージを使用して前記UEの前記ターゲット制御チャネルを前記基地局に通知する、
請求項11から18のいずれか一項に記載のUE。
【請求項２０】
前記UEが、
前記ターゲット制御チャネルに対応するランダムアクセスチャネルの変調および符号化方式に従って初期送信電力を取得するように構成された、取得ユニット
をさらに備え、
前記決定ユニットは、前記初期送信電力が前記UEの最大送信電力よりも大きい場合、前記ターゲット制御チャネルに対応するランダムアクセスチャネルおよび／またはターゲット制御チャネルを再決定し、再取得された初期送信電力が前記UEの前記最大送信電力以下であるようにするようにさらに構成され、
前記送信ユニットは、前記再取得された初期送信電力を使用して前記ランダムアクセスメッセージを前記基地局に送信するように特に構成される、
請求項19に記載のUE。
【請求項２１】
請求項1から10のいずれか一項に記載のステップをコンピュータに実行させるためのプログラム。
【発明の詳細な説明】
【技術分野】
【０００１】
本発明は、通信分野に関し、特に、制御チャネルを選択するための方法、および装置に関する。
【背景技術】
【０００２】
通信技術の継続的な発展により、時代の要請に応じてマシンツーマシン（Machine to Machine、略してM2M）サービスが登場し、インテリジェントな電力、インテリジェントな輸送、およびインテリジェントな家などの分野に広く適用されてきた。M2Mサービスを使用するユーザ機器（User Equipment、略してUE）は、通常、地上などの限られた空間に配置されるため、UEが標準的にネットワーク側と通信できるようにするために、カバレッジ向上技術が多くの通信システムで提案されている。例えば、一般的な通信システムと比較して、カバレッジは20dB向上する。
【０００３】
既存のセルラシステムでは、制御チャネル送信の信頼性を考慮して、ネットワーク側は、通常、比較的低レベルの変調および符号化方式を使用することによって制御チャネルを構成することが知られている。しかし、カバレッジ向上技術を使用するセルラシステムの場合、システムは、異なるカバレッジレベルに対して異なる制御チャネルを構成することができる。比較的良好なカバレッジのユーザに対して、ネットワーク側は、比較的高レベルの変調および符号化方式を使用することによって制御チャネルを構成する。比較的劣っているカバレッジのユーザに対して、ネットワーク側は、比較的低レベルの変調および符号化方式を使用することによって制御チャネルを構成する。システムが異なるカバレッジレベルに対して異なる制御チャネルを構成する場合、UEがそれ自体に適した制御チャネルをどのように選択するかは、当業者によって緊急に解決される必要がある問題である。しかし、従来技術では、この問題を解決するための技術的解決策はない。
【発明の概要】
【０００４】
本発明の実施形態は、マルチ制御チャネル通信システムにおいてUEがそれ自体に適した制御チャネルを選択することを可能にする制御チャネルを選択するための方法、および装置を提供する。
【課題を解決するための手段】
【０００５】
前述の目的を達成するために、本発明の実施形態では以下の技術的解決策が使用される。
【０００６】
第1の態様によれば、制御チャネルを選択するための方法が提供される。この方法は、少なくとも2つの制御チャネルが構成された通信システムに適用され、
ユーザ機器UEによって第1の制御チャネルをリスンし、第1の制御チャネルを使用して受信した信号の性能パラメータの値を測定するステップであって、性能パラメータは、信号対雑音比、受信レベル、信号対干渉雑音比、または信号強度のうちの1つまたは複数を含み、第1の制御チャネルは少なくとも2つの制御チャネルのうちの1つである、ステップと、
性能パラメータの値に応じて、第1の制御チャネルが滞留条件を満たすと判定した場合、第1の制御チャネルをターゲット制御チャネルとして決定するステップであって、ターゲット制御チャネルを使用して基地局によって送信されたダウンリンク制御情報を受信する、ステップと
を含む。
【０００７】
第1の態様を参照すると、第1の可能な実施態様において、第1の制御チャネルが滞留条件を満たすことは、性能パラメータの値が、第1の制御チャネルの復調閾値と滞留閾値との和以上であり、滞留閾値はゼロ以上であることを含む。
【０００８】
第1の態様の第1の可能な実施態様を参照すると、第2の可能な実施態様において、第1の制御チャネルが滞留条件を満たすことは、第1の制御チャネルを使用して受信した信号が正常に復号されることをさらに含む。
【０００９】
第1の態様すなわち第1の態様の第1の可能な実施態様または第2の可能な実施態様を参照すると、第3の可能な実施態様において、ユーザ機器UEによって第1の制御チャネルをリスンし、第1の制御チャネルを使用して受信した信号の性能パラメータの値を測定するステップの前に、方法は、
同期チャネルおよび／またはブロードキャストチャネルを使用して受信した信号に応じてUEの受信性能パラメータの値を決定するステップであって、受信性能パラメータは、信号対雑音比、受信レベル、信号対干渉雑音比、または信号強度のうちの1つまたは複数を含む、ステップと、
少なくとも2つの制御チャネルから予備選択条件を満たす制御チャネルを第1の制御チャネルとして決定するステップであって、予備選択条件を満たす制御チャネルは、受信性能パラメータがK以上の値を有する制御チャネルを含み、Kは制御チャネルの復調閾値と予備選択閾値との和であり、予備選択閾値はゼロ以上である、ステップと
をさらに含む。
【００１０】
第1の態様の第3の可能な実施態様を参照すると、第4の可能な実施態様において、M個の制御チャネルが、UEが位置するセル内に構成され、M≧2であり、Mは整数であり、M個の制御チャネルを復調閾値で昇順にソートしたシーケンスにおいて、i番目の制御チャネルの復調閾値はi番目の復調閾値であり、1≦i≦Mであり、iは整数であり、受信性能パラメータの値はkであり、i番目の復調閾値と予備選択閾値との和はKiであり、
k≧Kiかつi＝Mであるとき、予備選択条件を満たす制御チャネルは、M個の制御チャネルにおいて最大の復調閾値を有する制御チャネルであり、
Ki≦k＜Ki＋1かつ1≦i≦M−1であるとき、予備選択条件を満たす制御チャネルは、M個の制御チャネルのi番目の復調閾値を有する制御チャネルである。
【００１１】
第1の態様の第3の可能な実施態様または第4の可能な実施態様を参照すると、第5の可能な実施態様において、予備選択条件を満たす制御チャネルの数が1より大きい場合、少なくとも2つの制御チャネルから予備選択条件を満たす制御チャネルを第1の制御チャネルとして決定するステップは、
予備選択条件を満たすすべての制御チャネルから1つの制御チャネルを第1の制御チャネルとしてランダムに選択するステップ、
UEの識別子に応じて、予備選択条件を満たすすべての制御チャネルから第1の制御チャネルを決定するステップ、
基地局によって送信された通知メッセージを受信し、通知メッセージに応じて第1の制御チャネルを決定するステップであって、通知メッセージは、予備選択条件を満たすすべての制御チャネルの負荷状態に応じて基地局によって決定される、最も負荷の低い制御チャネルに関する情報を伝える、ステップ、または、
予備選択条件を満たすすべての制御チャネルの負荷状態に応じて第1の制御チャネルを決定するステップ
を含む。
【００１２】
第1の態様の第4の可能な実施態様を参照すると、第6の可能な実施態様において、ターゲット制御チャネルはi番目の制御チャネルであり、ターゲット制御チャネルを決定するステップの後に、方法は、
i＝Mのとき、k＜Ki’であれば、他のM−1個の制御チャネルから新たなターゲット制御チャネルを決定するステップであって、Ki’≦Kiである、ステップ、
1＜i≦M−1のとき、k＜Ki’またはk≧Ki＋1’であれば、他のM−1個の制御チャネルから新たなターゲット制御チャネルを決定するステップであって、Ki’≦KiかつKi＋1’≧Ki＋1である、ステップ、または、
i＝1のとき、k≧Ki＋1’であれば、他のM−1個の制御チャネルから新たなターゲット制御チャネルを決定するステップであって、Ki＋1’≧Ki＋1である、ステップ
をさらに含む。
【００１３】
第1の態様すなわち第1の態様の第1の可能な実施態様から第6の可能な実施態様のいずれかを参照すると、第7の可能な実施態様において、第1の制御チャネルは、UEが位置するセルの制御チャネルであり、性能パラメータの値に応じて、第1の制御チャネルが滞留条件を満たさないと判定した場合、方法は、
UEが位置するセルの他の制御チャネルに滞留条件を満たす制御チャネルが存在する場合、他の制御チャネルの滞留条件を満たす制御チャネルをターゲット制御チャネルとして決定するステップ、または、
UEが位置するセルの他の制御チャネルに滞留条件を満たす制御チャネルが存在しない場合、セル再選択機構またはセル選択機構を起動するステップ
をさらに含む。
【００１４】
第1の態様すなわち第1の態様の第1の可能な実施態様から第7の可能な実施態様のいずれかを参照すると、第8の可能な実施態様において、ターゲット制御チャネルを決定するステップの後で、方法は、
ターゲット制御チャネルに対応するランダムアクセスリソースを決定し、ランダムアクセスリソースに応じて基地局にランダムアクセスメッセージを送信するステップであって、ランダムアクセスメッセージを使用してランダムアクセスリソースに応じてUEのターゲット制御チャネルを決定するように基地局に指示する、ステップ、または、
ランダムアクセスメッセージを基地局に送信するステップであって、ランダムアクセスメッセージは、ターゲット制御チャネルのチャネル情報を含み、ランダムアクセスメッセージを使用してUEのターゲット制御チャネルを基地局に通知する、ステップ
をさらに含む。
【００１５】
第1の態様の第8の可能な実施態様を参照すると、第9の可能な実施態様において、ランダムアクセスメッセージを基地局に送信するステップ前に、方法は、
ターゲット制御チャネルに対応するランダムアクセスチャネルの変調および符号化方式に従って初期送信電力を取得するステップと、
初期送信電力がUEの最大送信電力よりも大きい場合、ターゲット制御チャネルに対応するランダムアクセスチャネルおよび／またはターゲット制御チャネルを再決定し、再取得された初期送信電力がUEの最大送信電力以下であるようにするステップと
をさらに含み、
ランダムアクセスメッセージを基地局に送信するステップは、
再取得された初期送信電力を使用してランダムアクセスメッセージを基地局に送信するステップ
を含む。
【００１６】
第2の態様によれば、ユーザ機器UEが提供される。UEは、少なくとも2つの制御チャネルが構成された通信システムに適用され、
第1の制御チャネルをリスンし、第1の制御チャネルを使用して受信した信号の性能パラメータの値を測定するように構成されたリスニングおよび測定ユニットであって、性能パラメータは、信号対雑音比、受信レベル、信号対干渉雑音比、または信号強度のうちの1つまたは複数を含み、第1の制御チャネルは少なくとも2つの制御チャネルのうちの1つである、リスニングおよび測定ユニットと、
性能パラメータの値に応じて、第1の制御チャネルが滞留条件を満たすと判定した場合、第1の制御チャネルをターゲット制御チャネルとして決定するように構成された決定ユニットであって、ターゲット制御チャネルを使用して、基地局によって送信されるダウンリンク制御情報を受信する、決定ユニットと
を含む。
【００１７】
第2の態様を参照すると、第1の可能な実施態様において、第1の制御チャネルが滞留条件を満たすことは、性能パラメータの値が、第1の制御チャネルの復調閾値と滞留閾値との和以上であり、滞留閾値はゼロ以上であることを含む。
【００１８】
第2の態様の第1の可能な実施態様を参照すると、第2の可能な実施態様において、第1の制御チャネルが滞留条件を満たすことは、第1の制御チャネルを使用して受信した信号が正常に復号されることをさらに含む。
【００１９】
第2の態様すなわち第2の態様の第1の可能な実施態様または第2の可能な実施態様を参照すると、第3の可能な実施態様において、UEは予備選択ユニットをさらに備え、予備選択ユニットは、
同期チャネルおよび／またはブロードキャストチャネルを使用して受信した信号に応じてUEの受信性能パラメータの値を決定し、ここで、受信性能パラメータは、信号対雑音比、受信レベル、信号対干渉雑音比、または信号強度のうちの1つまたは複数を含み、
少なくとも2つの制御チャネルから予備選択条件を満たす制御チャネルを第1の制御チャネルとして決定し、ここで、予備選択条件を満たす制御チャネルは、受信性能パラメータがK以上の値を有する制御チャネルを含み、Kは制御チャネルの復調閾値と予備選択閾値との和であり、予備選択閾値はゼロ以上である
ように構成される。
【００２０】
第2の態様の第3の可能な実施態様を参照すると、第4の可能な実施態様において、M個の制御チャネルが、UEが位置するセル内に構成され、M≧2であり、Mは整数であり、M個の制御チャネルを復調閾値で昇順にソートしたシーケンスにおいて、i番目の制御チャネルの復調閾値はi番目の復調閾値であり、1≦i≦Mであり、iは整数であり、受信性能パラメータの値はkであり、i番目の復調閾値と予備選択閾値との和はKiであり、
k≧Kiかつi＝Mであるとき、予備選択条件を満たす制御チャネルは、M個の制御チャネルにおいて最大の復調閾値を有する制御チャネルであり、
Ki≦k＜Ki＋1かつ1≦i≦M−1であるとき、予備選択条件を満たす制御チャネルは、M個の制御チャネルのi番目の復調閾値を有する制御チャネルである。
【００２１】
第2の態様の第3の可能な実施態様または第4の可能な実施態様を参照すると、第5の可能な実施態様において、予備選択条件を満たす制御チャネルの数が1より大きい場合、予備選択ユニットは、
予備選択条件を満たすすべての制御チャネルから1つの制御チャネルを第1の制御チャネルとしてランダムに選択するか、
UEの識別子に応じて、予備選択条件を満たすすべての制御チャネルから第1の制御チャネルを決定するか、
基地局によって送信された受信通知メッセージに応じて第1の制御チャネルを決定し、ここで、通知メッセージは、予備選択条件を満たすすべての制御チャネルの負荷状態に応じて基地局によって決定される、最も負荷の低い制御チャネルに関する情報を伝えるか、または、
予備選択条件を満たすすべての制御チャネルの負荷状態に応じて第1の制御チャネルを決定する
ように特に構成される。
【００２２】
第2の態様の第4の可能な実施態様を参照すると、第6の可能な実施態様において、ターゲット制御チャネルはi番目の制御チャネルであり、決定ユニットは、
i＝Mのとき、k＜Ki’であれば、他のM−1個の制御チャネルから新たなターゲット制御チャネルを決定し、ここでKi’≦Kiであるか、
1＜i≦M−1のとき、k＜Ki’またはk≧Ki＋1’であれば、他のM−1個の制御チャネルから新たなターゲット制御チャネルを決定し、ここでKi’≦KiかつKi＋1’≧Ki＋1であるか、または、
i＝1のとき、k≧Ki＋1’であれば、他のM−1個の制御チャネルから新たなターゲット制御チャネルを決定し、ここでKi＋1’≧Ki＋1である
ようにさらに構成される。
【００２３】
第2の態様すなわち第2の態様の第1の可能な実施態様から第6の可能な実施態様のいずれかを参照すると、第7の可能な実施態様において、第1の制御チャネルは、UEが位置するセルの制御チャネルであり、
決定ユニットが、性能パラメータの値に応じて、第1の制御チャネルが滞留条件を満たさないと判定すると、UEが位置するセルの他の制御チャネルに滞留条件を満たす制御チャネルが存在すれば、他の制御チャネルの滞留条件を満たす制御チャネルをターゲット制御チャネルとして決定するようにさらに構成されるか、または、
UEが、性能パラメータの値に応じて、第1の制御チャネルが滞留条件を満たさないと判定すると、UEが位置するセルの他の制御チャネルに滞留条件を満たす制御チャネルが存在しなければ、セル再選択機構またはセル選択機構を起動するように構成された起動ユニットをさらに含む。
【００２４】
第2の態様すなわち第2の態様の第1の可能な実施態様から第7の可能な実施態様のいずれかを参照すると、第8の可能な実施態様において、UEは送信ユニットをさらに備え、
決定ユニットは、ターゲット制御チャネルに対応するランダムアクセスリソースを決定するようにさらに構成され、送信ユニットは、ランダムアクセスリソースに応じて基地局にランダムアクセスメッセージを送信するように構成され、ここで、ランダムアクセスメッセージを使用してランダムアクセスリソースに応じてUEのターゲット制御チャネルを決定するように基地局に指示するか、または、
送信ユニットは、ランダムアクセスメッセージを基地局に送信するように構成され、ここで、ランダムアクセスメッセージは、ターゲット制御チャネルのチャネル情報を含み、ランダムアクセスメッセージを使用してUEのターゲット制御チャネルを基地局に通知する。
【００２５】
第2の態様の第8の可能な実施態様を参照すると、第9の可能な実施態様において、UEは、
ターゲット制御チャネルに対応するランダムアクセスチャネルの変調および符号化方式に従って初期送信電力を取得するように構成された、取得ユニット
をさらに備え、
決定ユニットは、初期送信電力がUEの最大送信電力よりも大きい場合、ターゲット制御チャネルに対応するランダムアクセスチャネルおよび／またはターゲット制御チャネルを再決定し、再取得された初期送信電力がUEの最大送信電力以下であるようにするようにさらに構成され、
送信ユニットは、再取得された初期送信電力を使用してランダムアクセスメッセージを基地局に送信するように特に構成される。
【００２６】
第3の態様によれば、ユーザ機器UEが提供される。UEは、少なくとも2つの制御チャネルが構成された通信システムに適用され、メモリおよびプロセッサを備え、
メモリは一連のプログラムを記憶するように構成され、プログラムはプロセッサを制御して、動作を実行するために使用され、この動作では、
第1の制御チャネルをリスンし、第1の制御チャネルを使用して受信した信号の性能パラメータの値を測定し、ここで、性能パラメータは、信号対雑音比、受信レベル、信号対干渉雑音比、または信号強度のうちの1つまたは複数を含み、第1の制御チャネルは少なくとも2つの制御チャネルのうちの1つであり、
性能パラメータの値に応じて、第1の制御チャネルが滞留条件を満たすと判定した場合、第1の制御チャネルをターゲット制御チャネルとして決定し、ここで、ターゲット制御チャネルを使用して、基地局によって送信されるダウンリンク制御情報を受信する。
【００２７】
第3の態様を参照すると、第1の可能な実施態様において、第1の制御チャネルが滞留条件を満たすことは、性能パラメータの値が、第1の制御チャネルの復調閾値と滞留閾値との和以上であり、滞留閾値はゼロ以上であることを含む。
【００２８】
第3の態様の第1の可能な実施態様を参照すると、第2の可能な実施態様において、第1の制御チャネルが滞留条件を満たすことは、第1の制御チャネルを使用して受信した信号が正常に復号されることをさらに含む。
【００２９】
第3の態様すなわち第3の態様の第1の可能な実施態様または第2の可能な実施態様を参照すると、第3の可能な実施態様において、プロセッサは、
同期チャネルおよび／またはブロードキャストチャネルを使用して受信した信号に応じてUEの受信性能パラメータの値を決定し、ここで、受信性能パラメータは、信号対雑音比、受信レベル、信号対干渉雑音比、または信号強度のうちの1つまたは複数を含み、
少なくとも2つの制御チャネルから予備選択条件を満たす制御チャネルを第1の制御チャネルとして決定し、ここで、予備選択条件を満たす制御チャネルは、受信性能パラメータがK以上の値を有する制御チャネルを含み、Kは制御チャネルの復調閾値と予備選択閾値との和であり、予備選択閾値はゼロ以上である
ようにさらに構成される。
【００３０】
第3の態様の第3の可能な実施態様を参照すると、第4の可能な実施態様において、M個の制御チャネルが、UEが位置するセル内に構成され、M≧2であり、Mは整数であり、M個の制御チャネルを復調閾値で昇順にソートしたシーケンスにおいて、i番目の制御チャネルの復調閾値はi番目の復調閾値であり、1≦i≦Mであり、iは整数であり、受信性能パラメータの値はkであり、i番目の復調閾値と予備選択閾値との和はKiであり、
k≧Kiかつi＝Mであるとき、予備選択条件を満たす制御チャネルは、M個の制御チャネルにおいて最大の復調閾値を有する制御チャネルであり、
Ki≦k＜Ki＋1かつ1≦i≦M−1であるとき、予備選択条件を満たす制御チャネルは、M個の制御チャネルのi番目の復調閾値を有する制御チャネルである。
【００３１】
第3の態様の第3の可能な実施態様または第4の可能な実施態様を参照すると、第5の可能な実施態様において、予備選択条件を満たす制御チャネルの数が1より大きい場合、プロセッサは、
予備選択条件を満たすすべての制御チャネルから1つの制御チャネルを第1の制御チャネルとしてランダムに選択するか、
UEの識別子に応じて、予備選択条件を満たすすべての制御チャネルから第1の制御チャネルを決定するか、
基地局によって送信された受信通知メッセージに応じて第1の制御チャネルを決定し、ここで、通知メッセージは、予備選択条件を満たすすべての制御チャネルの負荷状態に応じて基地局によって決定される、最も負荷の低い制御チャネルに関する情報を伝えるか、または、
予備選択条件を満たすすべての制御チャネルの負荷状態に応じて第1の制御チャネルを決定する
ように特に構成される。
【００３２】
第3の態様の第4の可能な実施態様を参照すると、第6の可能な実施態様において、ターゲット制御チャネルはi番目の制御チャネルであり、プロセッサは、
i＝Mのとき、k＜Ki’であれば、他のM−1個の制御チャネルから新たなターゲット制御チャネルを決定し、ここでKi’≦Kiであるか、
1＜i≦M−1のとき、k＜Ki’またはk≧Ki＋1’であれば、他のM−1個の制御チャネルから新たなターゲット制御チャネルを決定し、ここでKi’≦KiかつKi＋1’≧Ki＋1であるか、または、
i＝1のとき、k≧Ki＋1’であれば、他のM−1個の制御チャネルから新たなターゲット制御チャネルを決定し、ここでKi＋1’≧Ki＋1である
ようにさらに構成される。
【００３３】
第3の態様すなわち第3の態様の第1の可能な実施態様から第6の可能な実施態様のいずれかを参照すると、第7の可能な実施態様において、第1の制御チャネルは、UEが位置するセルの制御チャネルであり、プロセッサは、
性能パラメータの値に応じて、第1の制御チャネルが滞留条件を満たさないと判定すると、UEが位置するセルの他の制御チャネルに滞留条件を満たす制御チャネルが存在すれば、他の制御チャネルの滞留条件を満たす制御チャネルをターゲット制御チャネルとして決定するか、または、
性能パラメータの値に応じて、第1の制御チャネルが滞留条件を満たさないと判定すると、UEが位置するセルの他の制御チャネルに滞留条件を満たす制御チャネルが存在しなければ、セル再選択機構またはセル選択機構を起動する
ようにさら構成される。
【００３４】
第3の態様すなわち第3の態様の第1の可能な実施態様から第7の可能な実施態様のいずれかを参照すると、第8の可能な実施態様において、UEは送信機をさらに備え、
プロセッサは、ターゲット制御チャネルに対応するランダムアクセスリソースを決定するようにさらに構成され、送信機は、ランダムアクセスリソースに応じて基地局にランダムアクセスメッセージを送信するように構成され、ここで、ランダムアクセスメッセージを使用してランダムアクセスリソースに応じてUEのターゲット制御チャネルを決定するように基地局に指示するか、または、
送信機は、ランダムアクセスメッセージを基地局に送信するように構成され、ここで、ランダムアクセスメッセージは、ターゲット制御チャネルのチャネル情報を含み、ランダムアクセスメッセージを使用してUEのターゲット制御チャネルを基地局に通知する。
【００３５】
第3の態様の第8の可能な実施態様を参照すると、第9の可能な実施態様において、プロセッサは、
ターゲット制御チャネルに対応するランダムアクセスチャネルの変調および符号化方式に従って初期送信電力を取得し、
初期送信電力がUEの最大送信電力よりも大きい場合、ターゲット制御チャネルに対応するランダムアクセスチャネルおよび／またはターゲット制御チャネルを再決定し、再取得された初期送信電力がUEの最大送信電力以下であるようにする
ようにさらに構成され、
送信機は、再取得された初期送信電力を使用してランダムアクセスメッセージを基地局に送信するように特に構成される。
【００３６】
本発明の実施形態で提供される制御チャネルを選択するための方法およびユーザ機器は、少なくとも2つの制御チャネルを含む通信システムに適用される。UEは、第1の制御チャネルを使用して受信した信号の性能パラメータの値を測定し、性能パラメータの値に応じて、第1の制御チャネルが滞留条件を満たすと判定した場合に、第1の制御チャネルをターゲット制御チャネルとして決定する。この技術的解決策では、それ自体に適したターゲット制御チャネルをUEが選択できるように、滞留条件を設定することができる。
【００３７】
本発明の実施形態または従来技術における技術的解決策をより明確に説明するために、本実施形態または従来技術を説明するために必要な添付図面を以下に簡単に説明する。明らかに、以下の説明において添付図面は、本発明のいくつかの実施形態を単に示し、当業者は、創造的な取り組みをすることなく、これらの添付図面から他の図面をさらに導き出すことが可能である。
【図面の簡単な説明】
【００３８】
【図１】本発明の一実施形態による制御チャネルを選択するための方法の概略フローチャートである。
【図２】本発明の一実施形態による第1の制御チャネルを決定するための方法の概略フローチャートである。
【図３】本発明の一実施形態によるユーザ機器UEの概略構成図である。
【図４】本発明の一実施形態による別のユーザ機器UEの概略構成図である。
【図５】本発明の一実施形態による別のユーザ機器UEの概略構成図である。
【図６】本発明の一実施形態による別のユーザ機器UEの概略構成図である。
【発明を実施するための形態】
【００３９】
本発明の実施形態における技術的解決策を、本発明の実施形態における添付図面を参照して、明確かつ完全に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【００４０】
まず、本出願におけるいくつかの用語が、当業者による理解の便宜のために説明される。
【００４１】
1）制御チャネルは、ダウンリンク制御情報（Downlink Control Information、略してDCI）を運ぶために使用されるチャネルであり、DCI制御チャネルとも呼ばれる。具体的には、制御チャネルは、物理ダウンリンク制御チャネル（Physical Downlink Control Channel、略してPDCCH）などの物理制御チャネルであってもよいし、論理制御チャネルであってもよい。DCIは、ダウンリンクリソース割当情報、ハイブリッド自動再送要求（Hybrid Automatic Repeat reQuest、略してHARQ）情報、電力制御情報などを含んでもよい。
【００４２】
異なる制御チャネルは、通常、異なるカバレッジレベルを有する。各カバレッジレベルは、1つの変調および符号化方式（Modulation and Coding Scheme、略してMCS）に対応し、異なるカバレッジレベルは、通常、異なるMCSに対応する。特に、代替的に、複数の制御チャネルは、同一のカバレッジレベルを有することができ、これを、複数の制御チャネルが同じMCSを有するという点で具体的に実現することができる。複数の制御チャネルが同じMCSを有することは、複数の制御チャネルが同じ復調閾値を有することを含む。
【００４３】
2）基地局は、アクセスネットワーク内のエアインタフェース上の1つまたは複数のセクタによって無線端末と通信するデバイスを指す。例えば、基地局は、グローバルシステム・フォー・モバイル・コミュニケーションズ（Global System for Mobile Communications、略してGSM（登録商標））または符号分割多重アクセス（Code Division Multiple Access、略してCDMA）における基地局（すなわちベーストランシーバステーション、Base Transceiver Station、略してBTS）であってもよく、広帯域CDMA（Wideband CDMA、略してWCDMA（登録商標））またはユニバーサル移動体通信システム（Universal Mobile Telecommunications System、略してUMTS）における基地局（すなわちノードB、略してNodeB）であってもよく、ロングタームエボリューション（Long Term Evolution、略してLTE）における基地局（すなわち進化型ノードB、evolutional Node B、eNBまたはe−NodeB）であってもよく、またはワールドワイド・インターオペラビリティ・フォー・マイクロウェーブ・アクセス（Worldwide interoperability for Microwave Access、略してWiMAX）におけるWiMAX−BTSであってもよい。本発明は制限されるものではない。
【００４４】
3）端末とも呼ばれるユーザ機器は、無線接続機能を有する携帯デバイスまたは無線モデムデコーダに接続された他の処理デバイスなど、ユーザに音声および／またはデータ接続を提供するデバイスを指す。
【００４５】
4）セルは、基地局識別コードまたはセルグローバル識別によって識別される無線カバレッジエリアである。それは論理概念であり、したがって論理セルとも呼ばれる。
【００４６】
5）「複数（multiple）」という用語は、2つ以上を意味する。「および／または」という用語は、関連オブジェクトを記述するための関連関係のみを記述し、3つの関係が存在し得ることを表す。例えば、Aおよび／またはBは、Aのみが存在する場合、AとBの両方が存在する場合、Bのみが存在する場合、の3つの場合を表すことができる。文字「／」は、一般に、関連オブジェクト間の「または」の関係を示す。「システム」、「通信システム」、および「ネットワーク」という用語は、通常、本明細書では交換可能に使用される。
【００４７】
次に、本発明の実施形態のネットワークアーキテクチャおよび解決すべき技術的課題を簡単に説明する。
【００４８】
本発明の実施形態を、上記のシステムに適用することができ、以下の用語「通信システム」は、前述のシステム（LTEシステムまたはUMTSシステムなど）のいずれか1つであってもよい。1つまたは複数のセルが1つの基地局用に構成されてもよく、つまり、1つまたは複数のセルは1つのネットワークに構成されてもよい。1つまたは複数の制御チャネルが1つのセルに構成されてもよい。
【００４９】
本発明の実施形態が主に解決しようとする技術的問題は、UEがセルにアクセスした後にどのようにターゲット制御チャネルを選択するかである。さらに、本発明の実施形態は、UEの受信性能パラメータなどが変化したとき、または別のトリガ条件が満たされたときに新たなターゲット制御チャネルを選択する方法、UEがターゲット制御チャネルを決定した後に基地局がターゲット制御チャネルを学習することを可能にする方法、UEの初期送信電力を決定する方法などについての技術的解決策をさらに提供する。
【００５０】
さらに、本発明の実施形態で提供される方法の実施形態のステップはすべてUEによって実行されることに留意されたい。制御チャネルのMCS、制御チャネルとランダムアクセスチャネルとのマッピング関係、ランダムアクセスチャネルのMCSなどを以下のように構成するプロセスは、ネットワーク側のデバイス、例えば、基地局、基地局プロセッサ（Base Station Controller、略してBSC）、または無線ネットワークコントローラ（Radio Network Controller、略してRNC）によってシステム内で実行されてもよい。例えば、通常、LTEシステムでは、上述した構成プロセスが基地局によって実行され、GSMシステムでは、上記構成プロセスは基地局またはBSCによって実行され、UMTSシステムでは、上述の構成プロセスは、基地局またはRNCによって実行される。以下では、説明の便宜上、上記構成プロセスの実行主体として「システム」を用いて説明する。
【００５１】
以下、添付図面を参照して、本発明の実施形態に提供される技術的解決策について詳細に説明する。
【００５２】
本発明の実施形態は、少なくとも2つの制御チャネルが構成された通信システムに適用される制御チャネルを選択するための方法を提供する。図1に示すように、方法は以下のステップを含むことができる。
【００５３】
101；ユーザ機器UEは、第1の制御チャネルをリスンし、第1の制御チャネルを使用して受信した信号の性能パラメータの値を測定する。
【００５４】
性能パラメータは、信号対雑音比（Signal Noise Ratio、略してSNRまたはS／N、signal−to−noise ratioとも呼ばれる）、受信レベル、信号対干渉雑音比（すなわち、信号強度と干渉信号＋ノイズ強度の比率、Signal to Interference plus Noise Ratio、略してSINR）、または信号強度の1つまたは複数を含むが、これに限定されない。「信号の信号強度」は、具体的には、信号の電力、エネルギー等であってもよく、例えば、基準信号受信電力（Reference Signal Received Power、略してRSRP）であってもよい。
【００５５】
「第1の制御チャネル」は、少なくとも2つの制御チャネルのうちのいずれか1つであってもよいし、特定のポリシーに従って少なくとも2つの制御チャネルからUEによって決定される制御チャネルであってもよい。特定のポリシーには、以下に説明する予備選択条件が含まれるが、これに限定されない。任意選択的に、第1の制御チャネルは、UEが位置するセルの制御チャネルである。
【００５６】
第1の制御チャネルをリスンし、第1の制御チャネルを使用して受信した信号の性能パラメータの値を測定するためにUEによって使用される特定の実装方法については、従来技術を参照されたい。
【００５７】
102；性能パラメータの値に応じて、第1の制御チャネルが滞留条件を満たすと判定した場合、第1の制御チャネルをターゲット制御チャネルとして決定し、ターゲット制御チャネルを使用して基地局によって送信されたダウンリンク制御情報を受信する。
【００５８】
任意選択的に、第1の制御チャネルが滞留条件を満たすことは、性能パラメータの値が第1の制御チャネルの復調閾値と滞留閾値との和以上であり、滞留閾値はゼロ以上であることを含む。任意選択的に、滞留閾値はゼロより大きい。
【００５９】
例えば、「第1の制御チャネルの復調閾値」は、特定の性能パラメータ（信号対雑音比、受信レベル、信号対干渉雑音比、または信号強度など）の最小値を指し、これは、第1の制御チャネルを使用してUEによって受信されたデータが正常に復調され得るときに必要とされる。「滞留閾値」は、UEの復調性能を向上させるために、より良好な性能を有するターゲット制御チャネルをUEが選択するように設定された閾値を指す。
【００６０】
セル内の制御チャネルの復調閾値は、セル内の各UEの記憶ユニットに予め記憶されていてもよいし、制御チャネルを使用してセル内のUEに基地局によってブロードキャストされてもよく、このため、UEは、復調閾値に応じてターゲット制御チャネルを決定する。さらに、システム内の制御チャネルの復調閾値は、システムが構築されるときに設定され得、各制御チャネルの復調閾値は動的に変化し得る。
【００６１】
前述の性能パラメータのうちの任意の2つを互いに変換することができるので、「復調閾値」を前述の性能パラメータのいずれか1つの復調閾値とすることができ、「滞留閾値」を前述の性能パラメータのいずれか1つの滞留閾値とすることができることに留意されたい。性能パラメータ間の変換の具体的な実施態様については、従来技術を参照されたい。ステップ101における性能パラメータの種類、復調閾値に対応する性能パラメータの種類、および滞留閾値に対応する性能パラメータの種類が異なる場合には、まず、性能パラメータの値を同じ種類の値に変換することができ、変換された値に応じて、第1の制御チャネルが滞留条件を満たすか否かを判定する。
【００６２】
ステップ101において複数の種類の性能パラメータが存在する場合、第1の制御チャネルが滞留条件を満たすことは、複数の種類の性能パラメータの値がすべて、第1の制御チャネルの閾値の対応する復調閾値と対応する滞留閾値との和以上である。
【００６３】
さらに、任意選択的に、第1の制御チャネルが滞留条件を満たすことは、第1の制御チャネルを使用して受信した信号が正常に復号されることをさらに含むことができる。各制御チャネルは、1つの基準信号に対応し、任意の制御チャネルを使用して信号を受信した後、UEは、基準信号に応じて信号を復号する必要があることに留意されたい。復号が成功した場合には、UEは制御チャネルを使用して送信されたデータを正しく受信できることを示し、復号に失敗した場合には、UEは制御チャネルを使用して送信されたデータを正しく受信できないことを示す。復号の特定の実施態様および復号が成功したか否かを判定する方法については、従来技術を参照されたい。
【００６４】
任意選択的に、ステップ102の前に、方法は、性能パラメータの値に応じて、第1の制御チャネルが滞留条件を満たすか否かを判定するステップをさらに含むことができる。
【００６５】
任意選択的に、性能パラメータの値に応じて、第1の制御チャネルが滞留条件を満たさないと判定した場合、本方法は、UEが位置するセルの他の制御チャネルに滞留条件を満たす制御チャネルが存在する場合、他の制御チャネルの滞留条件を満たす制御チャネルをターゲット制御チャネルとして決定するステップ、または、UEが位置するセルの他の制御チャネルに滞留条件を満たす制御チャネルが存在しない場合、セル再選択機構またはセル選択機構を起動するステップをさらに含むことができる。
【００６６】
例えば、「他の制御チャネル」は、UEが位置するセルのすべての制御チャネルにおいて、第1の制御チャネル以外の制御チャネルを指す。「他の制御チャネル」のいずれか1つが滞留条件を満たすか否かを判断する方法については、本明細書のいずれかの実施形態で提供される滞留条件を満たすか否かを判定してターゲット制御チャネルを決定する方法を参照されたい。
【００６７】
セル再選択機構またはセル選択機構の起動は、UEが接続可能なセルを再選択することを可能にする。「セル再選択機構」または「セル選択機構」の特定の内容については、従来技術におけるセルを選択するための技術的解決法を参照されたい。詳細はここでは再度説明しない。
【００６８】
本発明のこの実施形態で提供される制御チャネルを選択するための方法は、少なくとも2つの制御チャネルを含む通信システムに適用される。UEは、第1の制御チャネルを使用して受信した信号の性能パラメータの値を測定し、性能パラメータの値に応じて、第1の制御チャネルが滞留条件を満たすと判定した場合に、第1の制御チャネルをターゲット制御チャネルとして決定する。この技術的解決策では、それ自体に適したターゲット制御チャネルをUEが選択できるように、滞留条件を設定することができる。
【００６９】
任意選択的に、図2に示すように、ステップ101の前に、方法は、以下のステップ201および202を具体的に含む第1の制御チャネルを決定するステップをさらに含むことができる。
【００７０】
201；同期チャネルおよび／またはブロードキャストチャネルを使用して受信した信号に応じて、UEの受信性能パラメータの値を決定し、受信性能パラメータは、信号対雑音比、受信レベル、信号対干渉雑音比、または信号強度のうちの1つまたは複数を含む。
【００７１】
セルにアクセスした後、UEは、セルの同期チャネルを使用して基地局によって送信される同期情報、およびセルのブロードキャストチャネルを使用して基地局によって送信されるブロードキャスト情報を受信する。
【００７２】
202；第1の制御チャネルとして、少なくとも2つの制御チャネルから予備選択条件を満たす制御チャネルを決定する。
【００７３】
UEが位置するセル内に構成された制御チャネルからの第1の制御チャネルとして1つの制御チャネルをランダムに選択するのと比較して、この任意の実施態様では、第1の制御チャネルを予備選択手段によって取得する解決策は、UEがそれ自体に適した制御チャネルを迅速に選択すること、すなわち、ターゲット制御チャネルを選択する時間を短縮することを可能にすることに留意されたい。また、ターゲット制御チャネルを選択する時間が短縮されるので、UEの電力消費を低減することができる。
【００７４】
「予備選択条件を満たす制御チャネル」を、例として以下の2つの実施態様を用いて説明する。
【００７５】
実施態様1：予備選択条件を満たす制御チャネルは、受信性能パラメータがK以上の値を有する制御チャネルを含み、Kは、制御チャネルの復調閾値と予備選択閾値との和であり、選択閾値はゼロ以上である。
【００７６】
説明のために、受信性能パラメータが信号対雑音比である例を使用する。UEが位置するセルには、3つの制御チャネル、すなわち制御チャネル1，2，および3が構成されているものとし、制御チャネル1，2，および3に対応する信号対雑音比の復調閾値は、それぞれSINR1，SINR2，およびSINR3であり、ここで、SINR1＜SINR2＜SINR3であり、制御チャネル1，2，および3に対応する予備選択閾値はそれぞれα1，α2，およびα3であり、UEの信号対雑音比はSINRである。
【００７７】
例1：α1，α2，およびα3はすべて0である。
【００７８】
例2：α1，α2，およびα3はいずれも0でなく、SINR1＋α1≦SINR2＋α2≦SINR3＋α3であり、α1，α2，およびα3は等しくても等しくなくてもよい。
【００７９】
例1に基づいて、実施態様1において、SINRと第1の制御チャネルとして機能し得る制御チャネルとの間の対応が、表1に示されている。
【００８０】
【表１】
0006459100.tif 000002
【００８１】
例2に基づいて、実施態様1において、SINRと第1の制御チャネルとして機能し得る制御チャネルとの間の対応が、表2に示されている。
【００８２】
【表２】
0006459100.tif 000003
【００８３】
実施態様2：これは、実施態様1に基づいて提案された別の実施態様である。M個の制御チャネルは、UEが位置するセル内で構成され、M≧2であり、Mは整数であると仮定すると、M個の制御チャネルを復調閾値で昇順にソートしたシーケンスにおいて、i番目の制御チャネルの復調閾値はi番目の復調閾値であり、1≦i≦Mであり、iは整数であり、受信性能パラメータの値はkであり、i番目の復調閾値と予備選択閾値との和はKiである。この場合、実施態様2は、具体的には以下を含むことができる。
【００８４】
1）k≧Kiかつi＝Mのとき、予備選択条件を満たす制御チャネルは、M個の制御チャネルにおいて最大の復調閾値を有する制御チャネルである。
【００８５】
2）Ki≦k＜Ki＋1かつ1≦i≦M−1のとき、予備選択条件を満たす制御チャネルは、M個の制御チャネルのi番目の復調閾値を有する制御チャネルである。
【００８６】
前述の例1に基づいて、実施態様2において、SINRと第1の制御チャネルとして機能し得る制御チャネルとの間の対応が、表3に示されている。
【００８７】
【表３】
0006459100.tif 000004
【００８８】
例2に基づいて、実施態様2において、SINRの値の範囲と第1の制御チャネルとして機能し得る制御チャネルとの間の対応が、表4に示されている。
【００８９】
【表４】
0006459100.tif 000005
【００９０】
実施態様2に基づいて、ターゲット制御チャネルが本明細書で提供されるいずれかの方法に応じて決定された後、この方法は、新たなターゲット制御チャネルを決定するステップをさらに含む。ターゲット制御チャネルは、UEが位置するセル内で構成された制御チャネルであることに留意されたい。ターゲット制御チャネルはi番目の制御チャネルであると仮定すると、新たなターゲット制御チャネルを決定するステップは、
1）i＝Mのとき、k＜Ki’であれば、他のM−1個の制御チャネルから新たなターゲット制御チャネルを決定するステップであって、Ki’≦Kiである、ステップ、
ii）1＜i≦M−1のとき、k＜Ki’またはk≧Ki＋1’であれば、他のM−1個の制御チャネルから新たなターゲット制御チャネルを決定するステップであって、Ki’≦KiかつKi＋1’≧Ki＋1である、ステップ、または、
iii）i＝1のとき、k≧Ki＋1’であれば、他のM−1個の制御チャネルから新たなターゲット制御チャネルを決定するステップであって、Ki＋1’≧Ki＋1である、ステップ
を含むことができる。
【００９１】
前述の例1または例2に基づいて、この任意の実施形態では、UEが存在するターゲット制御チャネルとスイッチング条件との間の対応が表5に示されている。
【００９２】
【表５】
0006459100.tif 000006
【００９３】
γ3≦α3、γ2≦α2、β3≧α3、およびβ2≧α2である。
【００９４】
制御チャネルを使用することでUEによって受信される信号の性能パラメータのより大きな値が、制御チャネルのより強いカバレッジ能力、すなわちより高いカバレッジレベルを示すことに留意されたい。したがって、カバレッジ能力によって降順に制御チャネルをソートすることによって、制御チャネル3，2，1のシーケンスを得ることができる。
【００９５】
前述の説明から、この任意の実施態様において、ターゲット制御チャネルが制御チャネル2であると仮定されることが分かる。この場合、SINRが動的に変化するので、以下のケースA）およびB）が起こり得る。
【００９６】
A）SINR＜SINR2＋γ2の場合、ターゲット制御チャネルは制御チャネル2から制御チャネル1に切り替わり、すなわち、UEは、カバレッジ能力の高い制御チャネルから、カバレッジ能力の低い制御チャネルに切り替わる。この場合、γ2≦α2であることから、制御チャネル2へのスイッチング（具体的には、第1の制御チャネルに応じて、ターゲット制御チャネルが制御チャネル2であると決定するプロセスを指す）と比較して、制御チャネル2からのスイッチングの解決策を「迅速なスイッチング（quick switching）」と呼ぶことができると考えられる。これにより、良好な受信性能が保証されることができる。
【００９７】
B）SINR≧SINR3＋β3の場合、ターゲット制御チャネルは制御チャネル2から制御チャネル3に切り替わり、すなわち、UEは、カバレッジ能力の低い制御チャネルから、カバレッジ能力の高い制御チャネルに切り替わる。この場合、良好な受信性能が既に保証されることができる。β3≧α3であることから、制御チャネル2へのスイッチング（具体的には、第1の制御チャネルに応じて、ターゲット制御チャネルが制御チャネル2であると決定するプロセスを指す）と比較して、制御チャネル2からのスイッチングの解決策を「低速スイッチング（slow switching）」と呼ぶことができると考えられる。これにより、SINRの劣化に起因する「ピンポン」効果の発生確率を低減することができる。
【００９８】
ターゲット制御チャネルが制御チャネル1である場合、UEは、カバレッジ能力の低い制御チャネルから、カバレッジ能力の高い制御チャネルにのみ切り替わることができる。具体的には、SINR2＋α2≦SINR＜SINR3＋γ3であれば、新たなターゲット制御チャネルを制御チャネル2とすることができ、SINR≧SINR3＋α3であれば、新たなターゲット制御チャネルを制御チャネル3とすることができる。
【００９９】
ターゲット制御チャネルが制御チャネル3である場合、UEは、カバレッジ能力の高い制御チャネルから、カバレッジ能力の低い制御チャネルにのみ切り替わることができる。具体的には、SINR2＋α2≦SINR＜SINR3＋γ3であれば、新たなターゲット制御チャネルを制御チャネル2とすることができ、SINR1＋α1≦SINR＜SINR2＋α2であれば、新たなターゲット制御チャネルを制御チャネル1とすることができる。
【０１００】
さらに、「予備選択条件を満たす制御チャネル」（前述の実施態様1および2を含む）を決定するいずれかの実施態様に基づいて、予備選択条件を満たす制御チャネルの数が1より大きい場合、ステップ202を以下のいずれかの態様で実施することができる。
【０１０１】
態様1：予備選択条件を満たすすべての制御チャネルから第1の制御チャネルとして1つの制御チャネルをランダムに選択する。この態様は、実施が容易であるという有益な効果を有する。
【０１０２】
態様2：UEの識別子に応じて、予備選択条件を満たすすべての制御チャネルから第1の制御チャネルを決定する。
【０１０３】
例えば、UEの識別子は、アイデンティティ（Identity、略してID）とも呼ばれ、具体的には、セル無線ネットワーク一時識別子（Cell Radio Network Temporary Identifier、略してC−RNTI）、SAE一時的移動体加入者識別情報（SAE−Temporary Mobile Subscriber Identity、略してS−TMSI）、またはUEを一意に識別するために使用できる他の文字または文字列であり得る。SAEはシステムアーキテクチャエボリューション（System Architecture Evolution）の英文頭字語である。
【０１０４】
態様2は、式：UE ID mod Nを使用して第1の制御チャネルを決定するステップを含むことができ、ここで、modはモジュロ演算であり、Nは予備選択条件を満たす制御チャネルの数である。例えば、N＝3のとき、UE ID mod N＝1であれば、番号1の制御チャネルが第1の制御チャネルとして決定され、UE ID mod N＝2であれば、番号2の制御チャネルが第1の制御チャネルとして決定される。この方法は、制御チャネルの負荷を可能な限り均衡させることができるため、ネットワーク全体の性能が向上する。
【０１０５】
態様3：基地局によって送信された通知メッセージを受信し、通知メッセージに応じて第1の制御チャネルを決定し、ここで、通知メッセージは、予備選択条件を満たすすべての制御チャネルの負荷状態に応じて基地局によって決定される、負荷が最も低い制御チャネルに関する情報を運ぶ。
【０１０６】
例えば、基地局によって送信された通知メッセージを受信するステップの前に、方法は、予備選択条件を満たすすべての制御チャネルに関する情報を基地局に送信して、基地局が、情報に応じて、負荷が最も低い制御チャネルを決定し、通知メッセージをUEに送信するようにするステップをさらに含むことができる。態様3は、制御チャネルの負荷を可能な限り均衡させることができるため、ネットワーク全体の性能が向上する。
【０１０７】
態様4：予備選択条件を満たすすべての制御チャネルの負荷状態に応じて第1の制御チャネルを決定する。
【０１０８】
例えば、態様4は、第1の制御チャネルとして第一条件を満たすすべての制御チャネルにおいて負荷が最も低い制御チャネルを使用するステップを含むことができる。あるいは、第1の制御チャネルは、性能インジケータ、すなわち初期条件を満たす制御チャネルの負荷状態に基づいて、および任意の1つまたは複数の他の性能インジケータと組み合わせて決定されてもよい。本発明のこの実施形態では、UEによって制御チャネルの負荷状態を取得する特定の実施態様に制限されるものではない。態様4は、制御チャネルの負荷を可能な限り均衡させることができるため、ネットワーク全体の性能が向上する。
【０１０９】
任意選択的に、本発明のこの実施形態は、ターゲット制御チャネルが上記で決定された後に基地局がターゲット制御チャネルを学習することを可能にする方法に関する技術的解決策をさらに提供する。具体的には、ランダムアクセスリソースを使用して、基地局がターゲット制御チャネルを学習できるようにする。以下の2つの実施態様1）と2）が含まれる。
【０１１０】
1）ターゲット制御チャネルに対応するランダムアクセスリソースを決定し、ランダムアクセスリソースに応じて基地局にランダムアクセスメッセージを送信し、ここで、ランダムアクセスメッセージを使用してランダムアクセスリソースに応じてUEターゲット制御チャネルを決定するように基地局に指示する。
【０１１１】
例えば、制御チャネルとランダムアクセスリソースとの間には1対1の対応関係があり、両者の間のマッピング関係はシステムによって設定され、ブロードキャストチャネルなどを使用してUEに送信されてもよい。「ランダムアクセスリソース」は、時間領域リソース、周波数領域リソース、またはコード領域リソースなどの無線リソースを含むことができるが、これに限定されない。
【０１１２】
2）ランダムアクセスメッセージを基地局に送信し、ここで、ランダムアクセスメッセージは、ターゲット制御チャネルのチャネル情報を含み、ランダムアクセスメッセージは、基地局にUEのターゲット制御チャネルを通知するために使用される。
【０１１３】
例えば、UEがターゲット制御チャネルを決定した後、UEは、送信されるべきアップリンクデータまたはシグナリングがある場合にランダムアクセスを開始する必要があり、ランダムアクセスリソースに応じて、ターゲット制御チャネル（すなわち、UEがリスンしている制御チャネル）の基地局をさらに通知することができる。「チャネル情報」には、ダウンリンクのチャネル品質、ターゲット制御チャネルのインデックス（index）、ターゲット制御チャネルに対応するMCSのインデックスなどが含まれるが、これに限定されるものではない。
【０１１４】
上記1）および2）において、ランダムアクセスメッセージを基地局に送信するステップ前に、方法は、ターゲット制御チャネルに対応するランダムアクセスチャネルの変調および符号化方式に従って初期送信電力P0を取得するステップと、P0がUEの最大送信電力Pmaxよりも大きい場合、ターゲット制御チャネルに対応するランダムアクセスチャネルおよび／またはターゲット制御チャネルを再決定し、再取得された初期送信電力がUEの最大送信電力以下であるようにするステップとをさらに含むことができる。この場合、ランダムアクセスメッセージを基地局に送信するステップは、再取得された初期送信電力を使用してランダムアクセスメッセージを基地局に送信するステップを含む。
【０１１５】
例えば、「ランダムアクセスチャネル」は、物理ランダムアクセスチャネル（Physical Random Access Channel、略してPRACH）であってもよい。制御チャネルとランダムアクセスチャネルとの間のマッピング関係は、システムによって設定される。1つの制御チャネルは1つまたは複数のランダムアクセスチャネルに対応していてもよく、異なるランダムアクセスチャネルは通常異なるMCSを有する。基地局は、ターゲット制御チャネルを使用して、ターゲット制御チャネルに対応するランダムアクセスチャネルのMCSをUEに送信して、UEが初期送信電力を決定するようにしてもよい。
【０１１６】
ターゲット制御チャネルが1つのランダムアクセスチャネルに対応し、ランダムアクセスチャネルのMCSに応じてUEによって取得されたP0がPmaxより大きい場合、P0を再計算するために、より低いレベルのMCSを有するランダムアクセスチャネルが決定される。この場合、ターゲット制御チャネルは他の制御チャネルに変更される。
【０１１７】
ターゲット制御チャネルが複数のランダムアクセスチャネルに対応する場合、UEはランダムアクセスチャネルをランダムにまたは規則に応じて選択して、初期送信電力を計算することができる。規則の特定の内容は、本発明のこの実施形態では限定されない。選択されたランダムアクセスチャネルのMCSを使用して得られたP0がPmaxより大きい場合、P0を再計算するために、より低いレベルのMCSを有するランダムアクセスチャネルが決定される。この場合、ターゲット制御チャネルは変更されないままであってもよい。確かに、ターゲット制御チャネルに対応する各ランダムアクセスチャネルのMCSに応じて得られたP0がPmaxより大きいのであれば、ターゲットアクセスチャネルが再決定される。
【０１１８】
ターゲット制御チャネルに対応するランダムアクセスチャネルのMCSに応じてP0を取得するステップは、UEのダウンリンクのパスロス（Path Loss、略してPL）を取得するステップと、PLおよびターゲット制御チャネルに対応するランダムアクセスチャネルのMCSに対応するパラメータに応じてP0を取得するステップとを含む。ランダムアクセスチャネルのMCSに対応するパラメータは、ランダムアクセスチャネルの初期受信ターゲット電力（Initial Received Target Power、Ptargetで表される）と、ランダムアクセスチャネルの基準信号送信電力Ptransmitとを含むが、これに限定されない。具体的には、以下のものが挙げられる。
【０１１９】
UEは、ターゲット制御チャネルに対応するランダムアクセスチャネルの基準信号受信電力RSRPを測定し、式PL＝Ptransmit−RSRPを用いてPLを取得し、式P0＝a＊PL＋Ptarget＋（n−1）＊Sを用いてP0を取得し、ここで、Sはパワーランプステップ（power ramp Step）を表し、0＜a≦1であり、aとSの両方がシステムブロードキャストメッセージで運ばれて、基地局によってUEに送信されてもよいし、または事前に通信プロトコルで合意された値であってもよく、nはランダムアクセスメッセージが送信される回数を表す。UEによってランダムアクセスメッセージを基地局に送信するプロセスにおいて、過度に小さいP0が使用される場合、ランダムアクセスメッセージのカレントの送信は失敗することに留意されたい。この場合、新たなP0を計算して、ランダムアクセスメッセージを再送するために、パワーランピングを実行する必要がある。
【０１２０】
最初に得られたP0がPmax以下であれば、P0を用いてランダムアクセスメッセージが基地局に送信されることに留意されたい。再取得されたP0がPmaxより大きい場合、再取得されたP0がPmax以下になるまで、「ターゲット制御チャネルに対応するランダムアクセスチャネルを再決定するステップ、および／またはターゲット制御チャネルを再決定するステップ」の動作が繰り返し実行される。ランダムアクセスメッセージは、再取得された初期送信電力を使用することによって基地局に送信される。各ランダムアクセスチャネルのMCSを使用して得られたP0がPmaxより大きい場合、P0＝Pmaxとみなされる。
【０１２１】
図3は、本発明の一実施形態によるユーザ機器UE3を示している。UE3は、少なくとも2つの制御チャネルが構成された通信システムに適用され、上記で提供される制御チャネルを選択するための方法を実行するように構成される。この実施形態における関連説明については、前述の実施形態を参照されたい。UE3は、
第1の制御チャネルをリスンし、第1の制御チャネルを使用して受信した信号の性能パラメータの値を測定するように構成されたリスニングおよび測定ユニット31であって、性能パラメータは、信号対雑音比、受信レベル、信号対干渉雑音比、または信号強度のうちの1つまたは複数を含み、第1の制御チャネルは少なくとも2つの制御チャネルのうちの1つである、リスニングおよび測定ユニット31と、
性能パラメータの値に応じて、第1の制御チャネルが滞留条件を満たすと判定した場合、第1の制御チャネルをターゲット制御チャネルとして決定するように構成された決定ユニット32であって、ターゲット制御チャネルを使用して、基地局によって送信されるダウンリンク制御情報を受信する、決定ユニット32と
を含む。
【０１２２】
特定の実装中に、UE3は、第1の制御チャネルを使用して信号を受信するように構成された受信ユニット33をさらに含むことができることに留意されたい。確かに、以下の任意の実施態様において、受信ユニットは、本明細書に列挙されていない他の情報を受信するようにさらに構成されてもよい。
【０１２３】
任意選択的に、第1の制御チャネルが滞留条件を満たすことは、性能パラメータの値が第1の制御チャネルの復調閾値と滞留閾値との和以上であり、滞留閾値はゼロ以上であることを含む。
【０１２４】
任意選択的に、第1の制御チャネルが滞留条件を満たすことは、第1の制御チャネルを使用して受信した信号が正常に復号されることをさらに含む。
【０１２５】
任意選択的に、図4に示すように、UE3は予備選択ユニット34をさらに含み、予備選択ユニット34は、
同期チャネルおよび／またはブロードキャストチャネルを使用して受信した信号に応じてUEの受信性能パラメータの値を決定し、ここで、受信性能パラメータは、信号対雑音比、受信レベル、信号対干渉雑音比、または信号強度のうちの1つまたは複数を含み、
少なくとも2つの制御チャネルから予備選択条件を満たす制御チャネルを第1の制御チャネルとして決定し、ここで、予備選択条件を満たす制御チャネルは、受信性能パラメータがK以上の値を有する制御チャネルを含み、Kは制御チャネルの復調閾値と予備選択閾値との和であり、予備選択閾値はゼロ以上である
ように構成される。
【０１２６】
任意選択的に、M個の制御チャネルが、UEが位置するセル内に構成され、M≧2であり、Mは整数であり、M個の制御チャネルを復調閾値で昇順にソートしたシーケンスにおいて、i番目の制御チャネルの復調閾値はi番目の復調閾値であり、1≦i≦Mであり、iは整数であり、受信性能パラメータの値はkであり、i番目の復調閾値と予備選択閾値との和はKiであり、
k≧Kiかつi＝Mであるとき、予備選択条件を満たす制御チャネルは、M個の制御チャネルにおいて最大の復調閾値を有する制御チャネルであり、
Ki≦k＜Ki＋1かつ1≦i≦M−1であるとき、予備選択条件を満たす制御チャネルは、M個の制御チャネルのi番目の復調閾値を有する制御チャネルである。
【０１２７】
任意選択的に、予備選択条件を満たす制御チャネルの数が1より大きい場合、予備選択ユニット34は、
予備選択条件を満たすすべての制御チャネルから1つの制御チャネルを第1の制御チャネルとしてランダムに選択するか、
UEの識別子に応じて、予備選択条件を満たすすべての制御チャネルから第1の制御チャネルを決定するか、
基地局によって送信された受信通知メッセージに応じて第1の制御チャネルを決定し、ここで、通知メッセージは、予備選択条件を満たすすべての制御チャネルの負荷状態に応じて基地局によって決定される、最も負荷の低い制御チャネルに関する情報を伝えるか、または、
予備選択条件を満たすすべての制御チャネルの負荷状態に応じて第1の制御チャネルを決定する
ように特に構成される。
【０１２８】
任意選択的に、決定ユニット32は、
i＝Mのとき、k＜Ki’であれば、他のM−1個の制御チャネルから新たなターゲット制御チャネルを決定し、ここでKi’≦Kiであるか、
1＜i≦M−1のとき、k＜Ki’またはk≧Ki＋1’であれば、他のM−1個の制御チャネルから新たなターゲット制御チャネルを決定し、ここでKi’≦KiかつKi＋1’≧Ki＋1であるか、または、
i＝1のとき、k≧Ki＋1’であれば、他のM−1個の制御チャネルから新たなターゲット制御チャネルを決定し、ここでKi＋1’≧Ki＋1である
ようにさらに構成される。
【０１２９】
任意選択的に、第1の制御チャネルは、UEが位置するセルの制御チャネルであり、
決定ユニット32が、性能パラメータの値に応じて、第1の制御チャネルが滞留条件を満たさないと判定すると、UEが位置するセルの他の制御チャネルに滞留条件を満たす制御チャネルが存在すれば、他の制御チャネルの滞留条件を満たす制御チャネルをターゲット制御チャネルとして決定するようにさらに構成されるか、または、
図4に示すように、UE3が、性能パラメータの値に応じて、第1の制御チャネルが滞留条件を満たさないと判定すると、UEが位置するセルの他の制御チャネルに滞留条件を満たす制御チャネルが存在しなければ、セル再選択機構またはセル選択機構を起動するように構成された起動ユニット35をさらに含む。
【０１３０】
任意選択的に、図4に示すように、UE3は送信ユニット36をさらに含み、
決定ユニット32は、ターゲット制御チャネルに対応するランダムアクセスリソースを決定するようにさらに構成され、送信ユニット36は、ランダムアクセスリソースに応じて基地局にランダムアクセスメッセージを送信するように構成され、ここで、ランダムアクセスメッセージを使用してランダムアクセスリソースに応じてUEのターゲット制御チャネルを決定するように基地局に指示するか、または、
送信ユニット36は、ランダムアクセスメッセージを基地局に送信するように構成され、ここで、ランダムアクセスメッセージは、ターゲット制御チャネルのチャネル情報を含み、ランダムアクセスメッセージを使用してUEのターゲット制御チャネルを基地局に通知する。
【０１３１】
任意選択的に、図4に示すように、UE3は、
ターゲット制御チャネルに対応するランダムアクセスチャネルの変調および符号化方式に従って初期送信電力を取得するように構成された、取得ユニット37
をさらに備え、
決定ユニット32は、初期送信電力がUEの最大送信電力よりも大きい場合、ターゲット制御チャネルに対応するランダムアクセスチャネルおよび／またはターゲット制御チャネルを再決定し、再取得された初期送信電力がUEの最大送信電力以下であるようにするようにさらに構成され、
送信ユニット36は、再取得された初期送信電力を使用してランダムアクセスメッセージを基地局に送信するように特に構成される。
【０１３２】
本発明のこの実施形態で提供されるユーザ機器UEは、少なくとも2つの制御チャネルを含む通信システムに適用される。UEは、第1の制御チャネルを使用して受信した信号の性能パラメータの値を測定し、性能パラメータの値に応じて、第1の制御チャネルが滞留条件を満たすと判定した場合に、第1の制御チャネルをターゲット制御チャネルとして決定する。この技術的解決策では、それ自体に適したターゲット制御チャネルをUEが選択できるように、滞留条件を設定することができる。
【０１３３】
ハードウェア実装では、送信ユニットは送信機であってもよく、受信ユニットは受信機であってもよく、送信機と受信機はトランシーバを構成するように統合されてもよい。リスニングおよび測定ユニット、決定ユニット、起動ユニットなどは、ユーザ機器UEのプロセッサにハードウェアの形態で内蔵されていてもよいし、独立していてもよいし、またはソフトウェアの形態でUEのメモリに格納されていてもよく、これにより、プロセッサは前述のモジュールに対応する演算を呼び出して実行する。
【０１３４】
図5は、本発明の一実施形態によるユーザ機器UE5を示している。UE5は、上記実施形態で提供される制御チャネルを選択するための方法を実行するように構成されている。この実施形態における関連説明については、前述の実施形態を参照されたい。UE5は、メモリ51と、プロセッサ52と、無線インタフェース53とを含んでいる。
【０１３５】
メモリ51とプロセッサ52とは、バスシステム54によって互いに接続されている。バスシステム54は、データバスに加えて、電源バス、制御バス、ステータス信号バスなどをさらに含むことができる。しかしながら、明確な説明のために、種種のバスは図にはバスシステム54として示されている。
【０１３６】
無線インタフェース53は、UE5と基地局または別のネットワークノードとの間の通信を提供するように構成されている。
【０１３７】
メモリ51は、プログラムを記憶するように構成されている。具体的には、プログラムはプログラムコードを含むことができ、プログラムコードはコンピュータの演算命令を含む。
【０１３８】
プロセッサ52は、メモリ51に記憶されたプログラムを実行して、本発明の実施形態で提供される制御チャネルを選択するための方法を実施し、この方法は、
第1の制御チャネルをリスンし、第1の制御チャネルを使用して受信した信号の性能パラメータの値を測定するステップであって、性能パラメータは、信号対雑音比、受信レベル、信号対干渉雑音比、または信号強度のうちの1つまたは複数を含み、第1の制御チャネルは少なくとも2つの制御チャネルのうちの1つである、ステップと、
性能パラメータの値に応じて、第1の制御チャネルが滞留条件を満たすと判定した場合、第1の制御チャネルをターゲット制御チャネルとして決定するステップであって、ターゲット制御チャネルを使用して基地局によって送信されたダウンリンク制御情報を受信する、ステップと
を含む。
【０１３９】
例えば、メモリ51は、高速のランダムアクセスメモリ（Random Access Memory、略してRAM）を含んでもよく、不揮発性メモリ（non−volatile memory）、例えば、少なくとも1つの磁気ディスクメモリをさらに含んでもよい。
【０１４０】
プロセッサ52は、中央処理ユニット（CPU）、マイクロプロセッサ、単一チップマイクロコンピュータなどであってもよい。
【０１４１】
バスシステム54は、業界標準アーキテクチャ（Industry Standard Architecture、略してISA）バス、周辺コンポーネント相互接続（Peripheral Component、略してPCI）バス、拡張業界標準アーキテクチャ（Extended Industry Standard Architecture、略してEISA）バスなどであってもよい。バスシステム54は、アドレスバス、データバス、制御バスなどを含んでもよい。表現の便宜上、図5では1つの太線のみが表現に使用されているが、1つのバスまたは1種類のバスのみが存在することを表すものではない。
【０１４２】
特定の実装中に、UE5は、第1の制御チャネルを使用して信号を受信するように構成された受信機55をさらに含むことができることに留意されたい。確かに、以下の任意の実施態様において、受信ユニットは、本明細書に列挙されていない他の情報を受信するようにさらに構成されてもよい。
【０１４３】
任意選択的に、第1の制御チャネルが滞留条件を満たすことは、性能パラメータの値が第1の制御チャネルの復調閾値と滞留閾値との和以上であり、滞留閾値はゼロ以上であることを含む。
【０１４４】
任意選択的に、第1の制御チャネルが滞留条件を満たすことは、第1の制御チャネルを使用して受信した信号が正常に復号されることをさらに含む。
【０１４５】
任意選択的に、プロセッサ52は、
同期チャネルおよび／またはブロードキャストチャネルを使用して受信した信号に応じてUEの受信性能パラメータの値を決定し、ここで、受信性能パラメータは、信号対雑音比、受信レベル、信号対干渉雑音比、または信号強度のうちの1つまたは複数を含み、
少なくとも2つの制御チャネルから予備選択条件を満たす制御チャネルを第1の制御チャネルとして決定し、ここで、予備選択条件を満たす制御チャネルは、受信性能パラメータがK以上の値を有する制御チャネルを含み、Kは制御チャネルの復調閾値と予備選択閾値との和であり、予備選択閾値はゼロ以上である
ようにさらに構成される。
【０１４６】
任意選択的に、M個の制御チャネルが、UEが位置するセル内に構成され、M≧2であり、Mは整数であり、M個の制御チャネルを復調閾値で昇順にソートしたシーケンスにおいて、i番目の制御チャネルの復調閾値はi番目の復調閾値であり、1≦i≦Mであり、iは整数であり、受信性能パラメータの値はkであり、i番目の復調閾値と予備選択閾値との和はKiであり、
k≧Kiかつi＝Mであるとき、予備選択条件を満たす制御チャネルは、M個の制御チャネルにおいて最大の復調閾値を有する制御チャネルであり、
Ki≦k＜Ki＋1かつ1≦i≦M−1であるとき、予備選択条件を満たす制御チャネルは、M個の制御チャネルのi番目の復調閾値を有する制御チャネルである。
【０１４７】
任意選択的に、予備選択条件を満たす制御チャネルの数が1より大きい場合、プロセッサ52は、
予備選択条件を満たすすべての制御チャネルから1つの制御チャネルを第1の制御チャネルとしてランダムに選択するか、
UEの識別子に応じて、予備選択条件を満たすすべての制御チャネルから第1の制御チャネルを決定するか、
基地局によって送信された受信通知メッセージに応じて第1の制御チャネルを決定し、ここで、通知メッセージは、予備選択条件を満たすすべての制御チャネルの負荷状態に応じて基地局によって決定される、最も負荷の低い制御チャネルに関する情報を伝えるか、または、
予備選択条件を満たすすべての制御チャネルの負荷状態に応じて第1の制御チャネルを決定する
ように特に構成される。
【０１４８】
任意選択的に、ターゲット制御チャネルは、i番目の制御チャネルであり、プロセッサ52は、
i＝Mのとき、k＜Ki’であれば、他のM−1個の制御チャネルから新たなターゲット制御チャネルを決定し、ここでKi’≦Kiであるか、
1＜i≦M−1のとき、k＜Ki’またはk≧Ki＋1’であれば、他のM−1個の制御チャネルから新たなターゲット制御チャネルを決定し、ここでKi’≦KiかつKi＋1’≧Ki＋1であるか、または、
i＝1のとき、k≧Ki＋1’であれば、他のM−1個の制御チャネルから新たなターゲット制御チャネルを決定し、ここでKi＋1’≧Ki＋1である
ようにさらに構成される。
【０１４９】
任意選択的に、第1の制御チャネルは、UEが位置するセルの制御チャネルであり、プロセッサ52は、
性能パラメータの値に応じて、第1の制御チャネルが滞留条件を満たさないと判定すると、UEが位置するセルの他の制御チャネルに滞留条件を満たす制御チャネルが存在すれば、他の制御チャネルの滞留条件を満たす制御チャネルをターゲット制御チャネルとして決定するようにさらに構成されるか、または、
性能パラメータの値に応じて、第1の制御チャネルが滞留条件を満たさないと判定すると、UEが位置するセルの他の制御チャネルに滞留条件を満たす制御チャネルが存在しなければ、セル再選択機構またはセル選択機構を起動する
ようにさらに構成される。
【０１５０】
任意選択的に、図6に示すように、UE5は送信機56をさらに備え、
プロセッサ52は、ターゲット制御チャネルに対応するランダムアクセスリソースを決定するようにさらに構成され、送信機56は、ランダムアクセスリソースに応じて基地局にランダムアクセスメッセージを送信するように構成され、ここで、ランダムアクセスメッセージを使用してランダムアクセスリソースに応じてUEのターゲット制御チャネルを決定するように基地局に指示するか、または、
送信機56は、ランダムアクセスメッセージを基地局に送信するように構成され、ここで、ランダムアクセスメッセージは、ターゲット制御チャネルのチャネル情報を含み、ランダムアクセスメッセージを使用してUEのターゲット制御チャネルを基地局に通知する。
【０１５１】
任意選択的に、プロセッサ52は、
ターゲット制御チャネルに対応するランダムアクセスチャネルの変調および符号化方式に従って初期送信電力を取得し、
初期送信電力がUEの最大送信電力よりも大きい場合、ターゲット制御チャネルに対応するランダムアクセスチャネルおよび／またはターゲット制御チャネルを再決定し、再取得された初期送信電力がUEの最大送信電力以下であるようにする
ようにさらに構成され、
送信機56は、再取得された初期送信電力を使用してランダムアクセスメッセージを基地局に送信するように特に構成される。
【０１５２】
本発明のこの実施形態で提供されるユーザ機器UEは、少なくとも2つの制御チャネルを含む通信システムに適用される。UEは、第1の制御チャネルを使用して受信した信号の性能パラメータの値を測定し、性能パラメータの値に応じて、第1の制御チャネルが滞留条件を満たすと判定した場合に、第1の制御チャネルをターゲット制御チャネルとして決定する。この技術的解決策では、それ自体に適したターゲット制御チャネルをUEが選択できるように、滞留条件を設定することができる。
【０１５３】
前述のシステム、装置、およびユニットの詳細な作動プロセスのための、簡便な説明の目的で、上述の方法の実施形態において対応するプロセスが参照され得ることは、当業者であれば明確に理解することができ、詳細は本明細書では再度説明しない。
【０１５４】
本出願で提供されるいくつかの実施形態では、開示された装置および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたは構成要素が組み合わされてもよく、または別のシステムに統合されてもよく、あるいは、一部の機能が無視されて、実行されなくてもよい。また、表示されたまたは議論された相互結合または直接結合または通信接続は、いくつかのインタフェースを使用することによって実現されてもよい。装置またはユニット間の間接的な結合または通信接続は、電子的、機械的、または他の形式で実現されてもよい。
【０１５５】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに応じて選択され得る。
【０１５６】
また、本発明の実施形態における機能ユニットは、1つの処理ユニットに組み込まれてもよく、または各ユニットは、単独で、物理的に存在してもよく、または2つ以上のユニットが1つのユニットに統合される。統合ユニットは、ハードウェアの形態で実装されてもよく、またはソフトウェア機能ユニットに加えてハードウェアの形態で実装されてもよい。
【０１５７】
前述の統合ユニットがソフトウェア機能ユニットの形態で実装される場合、統合ユニットは、コンピュータ可読記憶媒体に格納されてもよい。ソフトウェア機能ユニットは、記憶媒体に格納され、本発明の実施形態に記載の方法のステップの一部を実行するために、コンピュータデバイス（パーソナルコンピュータ、サーバ、またはネットワークデバイスであってもよい）を指示するためのいくつかの命令を含む。前述の記憶媒体は、例えば、USBフラッシュドライブ、リムーバブルハードディスク、読み取り専用メモリ（Read−Only Memory、略してROM）、RAM、磁気ディスク、または光ディスクなどの、プログラムコードを格納することができる任意の媒体を含む。
【符号の説明】
【０１５８】
31  リスニングおよび測定ユニット
32  決定ユニット
33  受信ユニット
34  予備選択ユニット
35  起動ユニット
36  送信ユニット
37  取得ユニット
51  メモリ
52  プロセッサ
53  無線インタフェース
54  バスシステム
55  受信機
56  送信機
【図１】
0006459100.tif 000007
【図２】
0006459100.tif 000008
【図３】
0006459100.tif 000009
【図４】
0006459100.tif 000010
【図５】
0006459100.tif 000011
【図６】
0006459100.tif 000012